(57)【要約】【課題】生ごみを圧縮する為に手動にて操作する必要が無く、生ごみを圧縮する為の別体の圧縮器具等の必要の無い、製造コストを低減でき、高い生ごみ圧縮性能及び水分絞り性能を有する生ごみ収納器を提供する。【解決手段】生ごみ収納器は、生ごみ等を入れる為の収納部を有し、収納部は付勢手段、及び付勢手段により可動可能なフレームを有すると共に、付勢手段によりフレームが可動する事により、生ごみの圧縮を手動にて操作する必要が無く、手に負担がかかる事が無く、収納部内の生ごみを圧縮できる構成としたものである。【選択図】      図１
2008150153.tif 000002
【特許請求の範囲】
【請求項１】
生ごみ等を一時収納する為の生ごみ収納器において、前記生ごみ収納器は、生ごみ等を入れる為の収納部を有し、前記収納部は付勢手段、及び前記付勢手段により可動可能なフレームを有すると共に、前記付勢手段により前記フレームが可動する事により前記収納部内の生ごみを圧縮することを特徴とする生ごみ収納器。
【請求項２】
収納部は、互いに噛み合う可動片を有する複数のフレーム、及び前記収納部内の生ごみを圧縮する方向に前記フレームを付勢する付勢手段を有すると共に、前記収納部に生ごみ等を入れる為の袋状体が装着されてあることを特徴とする請求項１に記載の生ごみ収納器。
【請求項３】
フレームに前記フレームの開動時における前記フレームの開動を規制し保持させる固定手段が形成されてあることを特徴とする請求項１又は２に記載の生ごみ収納器。
【請求項４】
フレームの上方近傍に収納部の内側に向かってはみ出し防止部材が突設されてあることを特徴とする請求項１から３に記載の生ごみ収納器。
【請求項５】
フレームの内壁に収納部内の生ごみを押し潰す為の押しつぼ体が突設されてあることを特徴とする請求項１から４に記載の生ごみ収納器。
【請求項６】
生ごみ収納器の外面に壁面等へ保持固定する為の固定手段が形成されてあることを特徴とする請求項１から５に記載の生ごみ収納器。
【発明の詳細な説明】
【技術分野】
【０００１】
本発明は、生ごみ等を一時収納する為の生ごみ収納器に関するものである。
【背景技術】
【０００２】
従来の生ごみ収納器において、特に生ごみを圧縮する事により生ごみの水分を絞る技術について様々な技術が開示されてある。例えば、水滴を通すごみ袋内に詰め込まれる生ごみを収容する収容部を設け、この収容部に外部と連通する排水孔を設けた生ごみ収容器において、前記収容部に収容されるごみ袋の側部を押圧する押圧部材を設けた生ごみ収容器がある（特許文献１）。
また、台所の流し台で使用される三角形状の生ごみ入れを形成する側壁部分の三つの角と、一辺のほぼ中央に、計４箇所の軸を設け、その軸を中心にそれぞれの側壁を折り曲げることにより中に有る生ごみの水分が絞れる生ごみ入れがある（特許文献２）
また、上部が開口する容器状に形成され、容器内に厨芥が収容されて水切りされる厨芥容器において、可撓性を有すると共に周壁面部が押圧されて変形された状態から元の容器形状に復帰する弾性を備えた合成樹脂の一体成型によって形成され、前記可撓性及び弾性を備えた周壁面部の正面部を対向する周壁面部に向けて押圧し周壁面部を容器の内側に撓ませることにより正面部の壁面で容器内に収容された厨芥を加圧、圧縮して水切りする際に、正面部の保形性および強度を確保するために、正面部に、他の周壁面部よりも肉厚に形成され上下方向にのびる押圧部を設けた厨芥容器がある（特許文献３）
また、握り部とこの握り部の長さ方向一端部に設けられる圧縮板とから構成される生ごみ圧縮器において、圧縮板が握り部に対して少なくとも前記握り部の長さ方向と交差する方向乃至握り部の長さ方向とほぼ沿う方向に揺動可能に取り付けられていることを特徴とする生ごみ圧縮器がある（特許文献４）。
【０００３】
【特許文献１】特開平９−２８５４０６号公報
【特許文献２】特開２００６−８２９７８号公報
【特許文献３】特許第３６１９１４７号
【特許文献４】特開２００５−７５５５９号公報
【発明の開示】
【発明が解決しようとする課題】
【０００４】
上記従来の特許文献１に記載された技術では、生ごみを圧縮する為には押圧部材を手で押すことによりごみ袋の側部を押圧する必要があり、手動にて操作する必要があり手に負担がかかる事となる。また、特許文献２に記載された技術では、軸部分に設けられた取っ手を両手で掴んで中の生ごみを絞る必要があり、特許文献１と同様に手動にて操作する必要があり手に負担がかかる事となる。また、特許文献３に記載された技術では、正面部に設けられた押圧部を手で押して容器内の厨芥を絞る必要があり、特許文献１と同様に手動にて操作する必要があり手に負担がかかる事となる。また、特許文献４に記載された技術では、生ごみを圧縮する為に、生ごみの収納器とは別物の握り部がついた圧縮板を押し付ける必要があり、生ごみ収納器以外に専用の生ごみ圧縮器のコストが必要であった。
【０００５】
本発明は上記点に鑑み、生ごみを圧縮する為に手動にて操作する必要が無く、生ごみを圧縮する為の別体の圧縮器具等の必要の無い、製造コストを低減でき、高い生ごみ圧縮性能及び水分絞り性能を有する生ごみ収納器を提供することを目的とする。
【課題を解決するための手段】
【０００６】
請求項１の発明は、生ごみ等を一時収納する為の生ごみ収納器において、前記生ごみ収納器は、生ごみ等を入れる為の収納部を有し、前記収納部は、付勢手段、及び前記付勢手段により可動可能なフレームを有すると共に、前記付勢手段により前記フレームが可動する事により前記収納部内の生ごみを圧縮することに特徴を有する。したがって、付勢手段により生ごみを圧縮する事ができる為、手動にて操作する必要が無く、手に負担がかかる事が無い。
【０００７】
請求項２の発明は、請求項１の生ごみ収納器の発明において、収納部は、互いに噛み合う可動片を有する複数のフレーム、及び前記収納部内の生ごみを圧縮する方向に前記フレームを付勢する付勢手段を有すると共に、前記収納部に生ごみ等を入れる為の袋状体が装着されてあることに特徴を有する。したがって、生ごみは、袋状体の内部にて、互いに噛み合う可動片にて挟み付けられて圧縮される為、生ごみは収納部内にて圧縮時に位置ずれする事が無く、的確に圧縮できる。その為、高い生ごみ圧縮性能及び水分絞り性能を有することができる。
【０００８】
請求項３の発明は、請求項１又は２の生ごみ収納器の発明において、フレームに前記フレームの開動時における前記フレームの開動を規制し保持させる固定手段が形成されてあることに特徴を有する。したがって、固定手段にてフレームを開動状態に規制し保持できる為、迅速かつ容易に生ごみを収納部内に入れる事ができる。
【０００９】
請求項４の発明は、請求項１から３の生ごみ収納器の発明において、フレームの上方近傍に収納部の内側に向かってはみ出し防止部材が突設されてあることに特徴を有する。したがって、袋状体内の生ごみがフレームから外れて外部にはみ出す事が無い。
【００１０】
請求項５の発明は、請求項１から４の生ごみ収納器の発明において、フレームの内壁に収納部内の生ごみを押し潰す為の押しつぼ体が突設されてあることに特徴を有する。その為、可動片にて収納部が圧縮されると空間部が小さくなるが、押しつぼ体を形成する事により空間部を極力小さくする事ができ、生ゴミがよりつぶれやすくなる。したがって、袋状体内の生ごみを確実に押し潰す事ができる。
【００１１】
請求項６の発明は、請求項１から５の生ごみ収納器の発明において、生ごみ収納器の外面に壁面等へ保持固定する為の固定手段が形成されてあることに特徴を有する。したがって、生ごみ等収納器を台所のシンクの壁面等に容易に固定することができる。
【発明の効果】
【００１２】
請求項１の発明では、付勢手段により可動可能なフレームを有すると共に、付勢手段によりフレームが可動する事により収納部内の生ごみを圧縮することにより、生ごみの圧縮を手動にて操作する必要が無く、手に負担がかかる事が無く、請求項２の発明では、収納部を、互いに噛み合う可動片を有する複数のフレーム、及び収納部内の生ごみを圧縮する方向にフレームを付勢する付勢手段を有する構成にしたことにより、生ごみを位置ずれする事無く、的確に圧縮でき、高い生ごみ圧縮性能及び水分絞り性能を有することができ、請求項３の発明では、フレームに、フレームの開動時におけるフレームの開動を規制し保持させる固定手段を形成したことにより、フレームを開動状態に規制し保持でき、迅速かつ容易に生ごみを収納部内に入れる事ができ、請求項４の発明では、フレームの上方近傍に収納部の内側に向かってはみ出し防止部材を突設したことにより、生ごみがフレームから外れて外部にはみ出す事が無く、請求項５の発明では、フレームの内壁に袋状体内の生ごみを押し潰す為の押しつぼ体を突設したことにより、生ごみを確実に押し潰して圧縮する事ができ、請求項６の発明では、生ごみ収納器の外面に壁面等へ保持固定する為の固定手段を形成したことにより、生ごみ収納器を台所のシンクの壁面等に容易に固定できる。
【発明を実施するための最良の形態】
【００１３】
次に、本発明の実施形態を図面に基づいて説明する。図１から図５は本発明の第１実施形態の生ごみ収納器を示す図である。図１は本発明の第１実施形態の生ごみ収納器を示す斜視図、図２は図４のＣ−Ｃ矢視における生ごみの非圧縮時の平面図、図３は図４のＣ−Ｃ矢視における生ごみの圧縮時の平面図、図４は図１のＡ−Ａ断面図、図５は図３のＢ−Ｂ断面図である。生ごみ収納器１は、図１の如く、収納部２より形成されてある。収納部２は、基部２４、フレーム４、１４、及びリング３４が重ねあわされて形成されてあり、フレーム４、１４、及びリング３４は、図４の如く、基部２４に固定された軸体１５にたいして回動自在に装着されてある。また、袋状体３が収納部２に装着されてある。また、軸体１５の上端部にはネジ１８ａを有する止め具１８が形成されてあり、ネジ１８ａにて、軸体１５にたいして着脱可能に装着されてある。基部２４は下部に複数の切欠部４ｄを有する円盤状に形成されてあり、複数の水抜き穴２４ａが形成されてある。フレーム４は、複数の可動片４ａを有する概櫛歯状に形成されてあると共に、フレーム１４は、複数の可動片１４ａを有する概櫛歯状に形成されてあり、フレーム４、１４は、嵌合部１０により、可動片４ａ、及び１４ａが互いに噛み合わされて略円筒状に形成されてある。また、フレーム４、１４は、互いに噛み合わされる事により複数の凹部４ｂ、１４ｂを有すると共に、嵌合部１０の反対側の内面には、軸体１５にて支持されたコイルばね５が形成されてある。コイルばね５は、フレーム４、１４の内壁面に一体的に形成されたリブ４ｆ、１４ｆにて、フレーム４、１４が互いに噛み合うように、ばね力にて付勢されてある。
【００１４】
嵌合部１０の反対側の外面にはピン１６にて支持されたフック６が形成されてあり、フレーム４、１４は、コイルばね５にて可動片４ａ、１４ａが互いに噛み合わされるように付勢されてあると共に、フレーム４、１４は、フック６にて略円筒状になるように開動状態にて規制されて互いに保持されてある。また、図２の如く、フレーム４、１４の内壁面には複数の押え部材８、及び概柱状の押しつぼ体１７ａ、１７ｂが形成されてある。また、図１の如く、リング３４の上面には、袋状体３の位置ずれ防止の為の複数の凸部９が形成されてあり、嵌合部１０の上部のリング３４の外壁面には吸盤７が装着されてある。袋状体３は収納部２に装着されてあり、袋状体３は、リング３４、及びフレーム４、１４の内壁面に押し込むと共に、袋状体３の端部を複数の凸部９に引掛けることにより固定される。袋状体３は、生ごみ３０を入れる事が可能な袋であるならば、いかなる材質であっても採用できるが、好適には、通水性を有する概メッシュ状の袋、不織布の袋、紙製の袋等が採用できる。吸盤７は台所のシンクの壁面等に固定する場合に吸着させて使用する。
【００１５】
また、図２から図５にて生ごみを圧縮する時の状態を説明する。生ごみ３０は、図２の如く、収納部２に形成された生ごみ圧縮部１２に入れられてあり、フレーム４、１４はフック６にて生ごみ圧縮部１２が略円筒状になるように互いに保持されてある。生ごみを圧縮する時には、図３の如く、フレーム４に掛かっていたフック６を外すことにより、コイルばね５が押し広げられる。フレーム４、１４は、コイルばね５にて可動片４ａ、１４ａが互いに噛み合わされるように付勢され、生ごみ圧縮部１２は、縮まる方向に圧縮されて生ごみ圧縮部２２になる。この時、フレーム４、１４の内壁面に形成された押しつぼ体１７ａ、１７ｂが、互いに押し付け合うようにして、生ごみ３０は圧縮される。圧縮された生ごみ３０から出た水分等は、基部２４に形成された水抜き穴２４ａ、及び切欠部４ｄより生ごみ収納器１の外部に排出される。また、圧縮された生ごみ３０が、生ごみ圧縮部２２から外部に溢れ出る場合には、図５の如くの複数の押え部材８が、圧縮された生ごみ３０を上部から押さえ付けるようにして、生ごみ３０が生ごみ圧縮部２２から外部にはみ出す事を防止できる。また、図２の如く、フレーム４、１４は、互いの可動片４ａ、１４ａが噛み合わされてあり、嵌合部１０にて互いの可動片４ａ、１４ａが重なり合って形成されてあると共に、上下方向からリング３４及び基部２４にて挟まれてある為、生ごみ３０の圧縮時において、互いの可動片４ａ、１４ａが位置ずれすることが無く、迅速、かつ確実に生ごみ３０を圧縮できる。
【００１６】
本発明の実施形態における生ごみ収納器１は、以上のように構成されているので、フレーム４、１４に形成されてある可動片４ａ、１４ａが、コイルばね５にて、生ごみ圧縮部１２が縮まる方向に互いに噛み合わされて可動する事により、収納部２内の生ごみ３０を圧縮できる。その為、生ごみ３０の圧縮を手動にて操作する必要が無い。また、手に負担がかかる事が無い。また、フレーム４、１４を構成する互いの可動片４ａ、１４ａが、概櫛歯状に噛み合わされることにより、生ごみ３０は圧縮時に位置ずれする事が無く、的確に圧縮でき、高い生ごみ圧縮性能及び水分絞り性能を有することができる。また、フレーム４、１４は、フック６にて略円筒状になるように開動状態にて規制されて互いに保持されてある為、フレーム４、１４を開動状態にて規制し略円筒状になるように保持することができ、迅速かつ容易に生ごみ３０を収納部２内に入れる事ができる。また、フレーム４、１４の内壁面に複数の押え部材８が形成されてある為、生ごみ３０がフレーム４、１４から外れて外部にはみ出す事を防止できる。また、フレーム４、１４の内壁面に押しつぼ体１７ａ、１７ｂが形成されてある為、生ごみを確実に押し潰して圧縮する事ができる。また、リング３４の外壁面に吸盤７が装着されてある為、生ごみ収納器１を台所のシンクの壁面等に容易に固定できる。また、リング３４の上面に複数の凸部９が形成されてある為、袋状体３の端部を複数の凸部９に引掛けることにより、袋状体３を固定できる。
【００１７】
生ごみ収納器１における生ごみ３０の圧縮方法については、フレーム４に掛かっていたフック６を外すことにより、簡易に生ごみ３０が圧縮できる為、様々な使用形態を設定できる。例えば、生ごみ圧縮部１２の容量が一杯になるまで生ごみ３０を入れた後、生ごみ３０を捨てる前に圧縮させる形態、生ごみ３０を入れないときは常に生ごみ３０を圧縮させた状態にして、生ごみ３０を入れるときのみフック６をフレーム４に掛けることにより、フレーム４、１４を略円筒状になるように互いに保持させる形態等、適時設定できる。また、本発明の実施形態においては、付勢手段としてコイルばね５が形成されてあるが、コイルばね５以外にも、フレーム４、１４を可動させる事が可能であるならば、例えば、板ばね、圧縮コイルばね、引張コイルばね、ねじり又はぜんまいばね、ゴム等の弾性体等、いかなる手段も採用できる。
【００１８】
袋状体３は、収納部２に装着可能であるならば、いかなる形態も採用できる。例えば、樹脂製のネット、紙袋、フィルム状袋、織布、不織布、編物製の布帛の袋等、適時採用できる。また、押え部材８、凸部９の形状、可動片４ａ、１４ａの枚数等についても、使用目的に応じて、適時設定できる。また、生ごみ収納器１を使用時に備え付ける形態についても、吸盤７にて生ごみ収納器１をシンクの内壁面に吸着させると共に、基部２４をシンクの底面に当接させる形態、吸盤７にて生ごみ収納器１をシンクの内壁面に吸着させると共に、基部２４をシンクの底面から浮かせる形態、吸盤７を使用すること無く、基部２４をシンクの底面に当接させる形態等、適時設定できる。また、リング３４は、軸体１５にたいして回動自在に装着されてあるが、使用目的に応じて、リング３４を軸体１５にたいして一時的に回動不可とする形態、リング３４を軸体１５にたいして着脱可能に装着する形態等、適時、設定できる。また、基部２４とフレーム４を一体化させた構成とし、フック６を外すことにより、コイルばね５が押し広げられ、フレーム１４のみがコイルばね５にて付勢されて、可動片１４ａが穴部４ｂにたいして互いに噛み合わされる形態も、設定できる。さらにまた、リング３４を使用しない形態も設定できる。
【００１９】
尚、本発明の趣旨を逸脱しない範囲において、種々の実施形態をとることができることは言うまでもない。
【産業上の利用可能性】
【００２０】
本発明の生ごみ収納器は主に、生ごみ等を一時収納する為の生ごみ収納器として使用する。
【図面の簡単な説明】
【００２１】
【図１】本発明の第１実施形態の生ごみ収納器を示す斜視図
【図２】図４のＣ−Ｃ矢視における生ごみの非圧縮時の平面図
【図３】図４のＣ−Ｃ矢視における生ごみの圧縮時の平面図
【図４】図１のＡ−Ａ断面図
【図５】図３のＢ−Ｂ断面図
【符号の説明】
【００２２】
１  生ごみ収納器
２  収納部
３  袋状体
４、１４  フレーム
４ａ、１４ａ  可動片
４ｂ  穴部
４ｄ  切欠部
４ｆ、１４ｆ  リブ
５  コイルばね
６  フック
７  吸盤
８  押え部材
９  凸部
１０  嵌合部
１２、２２  生ごみ圧縮部
１５  軸体
１６  ピン
１７ａ、１７ｂ  押しつぼ体
１８  止め具
１８ａ  ネジ
２４  基部
２４ａ  水抜き穴
３０  生ごみ
３４  リング
【図１】
2008150153.tif 000003
【図２】
2008150153.tif 000004
【図３】
2008150153.tif 000005
【図４】
2008150153.tif 000006
【図５】
2008150153.tif 000007